(57)【要約】【課題】1本以上の列ラインの不良、または断線、および／または故障した列ドライバがあっても動作することのできる画像ディスプレイシステムを提供すること。【解決手段】液晶ディスプレイ（LCD）デバイスは、不良な列ライン（例：ラインの断線）または不良な列ドライバのいずれかに起因する不良な列のピクセルに画像データを供給するために、少なくとも2本のデータラインを選択的に接続するための手段を含む。この手段は、望ましくは、2本のデータラインを接続するための複数のスイッチを含む。このスイッチは、2本のデータラインの間に延在している列交差スイッチか、または列較正手順において使用されかつ2つの列それぞれを共通列テストラインに接続する列テストスイッチのいずれかとすることが出来る。望ましくは、スイッチを開くべきか閉じるべきかを示すデータ値を中に格納するためのレジスタも、設けられる。レジスタは、シフトレジスタを有することが出来る。【選択図】図２
2004538513.tif 000002
【特許請求の範囲】
【請求項１】
液晶ディスプレイデバイスであって、当該デバイスが、
行と列のマトリクスに配置されている複数のピクセルであって、各ピクセルが、
- 第一および第二端子と制御端子とを有するピクセルスイッチングデバイスと、
- 前記ピクセルスイッチングデバイスの前記第一端子に接続されているストレージデバイスと
- 前記ピクセルスイッチングデバイスの前記第二端子に接続されている複数のデータラインと、
- 前記データラインに接続されていてかつ前記ピクセルにデータを供給する複数のデータドライバと、
- 前記ストレージデバイスに前記データを供給するために前記ピクセルスイッチングデバイスの前記第一および第二端子を選択的に接続するための、前記ピクセルスイッチングデバイスの前記制御端子に接続されている複数の走査ラインと、
- 前記データラインのうちの2本を選択的に互いに接続するために、対応する制御信号に応答する少なくとも1つのスイッチと、
を有する、複数のピクセル、
を有する、液晶ディスプレイデバイス。
【請求項２】
各スイッチが、選択的に互いに接続される前記2本のデータラインの間に延在している列交差スイッチを有する、請求項1の液晶ディスプレイデバイス。
【請求項３】
各列交差スイッチに対応しかつ前記列交差スイッチに前記制御信号を供給するレジスタをさらに有する、請求項2の液晶ディスプレイデバイス。
【請求項４】
共通テストラインをさらに有する請求項1の液晶ディスプレイデバイスであって、前記少なくとも1つのスイッチが、前記データラインのうちの対応する1本と前記共通テストラインの間に延在している列テストスイッチを有する、液晶ディスプレイデバイス。
【請求項５】
各スイッチに対応しかつ前記スイッチに制御信号を供給するレジスタをさらに有する、請求項4の液晶ディスプレイデバイス。
【請求項６】
各スイッチが、列テストスイッチを含み、前記液晶ディスプレイデバイスが、さらに、
- 共通テストラインと、
- それぞれが前記列テストスイッチの対と前記共通テストラインの間に接続されている、複数の共通対選択スイッチと、
を有する、請求項1の液晶ディスプレイデバイス。
【請求項７】
各スイッチに対応しかつ前記スイッチに前記制御信号を供給するレジスタをさらに有する、請求項1の液晶ディスプレイデバイス。
【請求項８】
行と列のマトリクスに配置されている複数のピクセルと、前記複数のピクセルに接続されている複数の列ラインと、前記列ラインに接続されていてかつ前記ピクセルにデータを供給する複数の列ドライバと、それぞれが2本の列ラインを選択的に互いに接続するために対応する制御信号に応答する複数のスイッチと、を含む液晶ディスプレイデバイスにおける不良を修復する方法であって、前記方法が、
- 液晶ディスプレイデバイス内の不良な列を識別するステップであって、前記不良な列が、前記列ラインのうちの第一の列ラインを含む、ステップと、
- 前記不良な列の少なくとも1つのピクセルを、前記液晶ディスプレイデバイス内の前記列のうちの第二の列の、前記列ラインのうちの第二の列ラインに接続するステップと、
を有する、方法。
【請求項９】
前記不良な列の前記少なくとも1つのピクセルを前記列ラインのうちの前記第二の列ラインに接続するステップが、前記不良な列に接続されている前記スイッチのうちの第一のスイッチを閉じるステップを有する、請求項8の方法。
【請求項１０】
前記液晶ディスプレイデバイスが、前記複数のスイッチに接続されている複数のレジスタを含み、前記方法が、さらに、前記第一のスイッチを閉じるための制御信号を供給するために、前記第一のスイッチに接続されている前記レジスタの1つにデータ値を格納するステップを有する、請求項9の方法。
【請求項１１】
前記不良な列の前記少なくとも1つのピクセルを前記第二の列ラインに接続するステップが、前記不良な列と前記第二の列ラインとに接続されている前記スイッチの1つを閉じるステップを有する、請求項8の方法。
【請求項１２】
前記不良な列の前記少なくとも1つのピクセルを前記第二の列ラインに接続するステップが、
- 前記不良な列と共通テストラインとに接続されている前記スイッチのうちの第一のスイッチを閉じるステップと、
- 前記第二の列と前記共通テストラインとに接続されている前記スイッチのうちの第二のスイッチを閉じるステップと、
をさらに有する、請求項8の方法。
【請求項１３】
前記不良な列を識別するステップが、前記列ドライバのいずれにも接続されていない前記第一の列ラインの部分を識別するステップを有する、請求項8の方法。
【請求項１４】
前記不良な列を識別するステップが、不良な列ドライバを識別するステップを有する、請求項8の方法。
【請求項１５】
前記液晶ディスプレイデバイスが、それぞれが前記列ラインの1本と前記列ドライバの1つとに接続されている複数の列ドライバスイッチと、それぞれが前記列ドライバスイッチの制御端子に接続されている複数のレジスタとを含み、前記方法が、さらに、前記第一の列ドライバスイッチを閉じるための制御信号を供給するために前記列ドライバスイッチのうちの第一のスイッチに接続されている前記レジスタの1つにデータ値を格納するステップを有する、請求項14の方法。
【請求項１６】
画像ディスプレイデバイスであって、当該デバイスが、
- マトリクスに配置されている複数のピクセルと、
- 前記複数のピクセルに接続されている複数の列ラインと、
- 前記列ラインに接続されていてかつ前記ピクセルにデータを供給する複数の列ドライバと、
- 2本の列ラインを選択的に互いに接続するための手段と、
を有する、画像ディスプレイデバイス。
【請求項１７】
2本の列ラインを選択的に互いに接続するための前記手段が、制御信号に応答して前記2本の列ラインを選択的に互いに接続する少なくとも1つのスイッチを有する、請求項16のデバイス。
【請求項１８】
それぞれが前記スイッチの1つに対応し、かつ、前記対応するスイッチを開くべきか閉じるべきかを示すデータ値を格納する、複数のレジスタをさらに有する、請求項17のデバイス。
【請求項１９】
前記スイッチのそれぞれが、互いに選択的に接続される前記2本の列ラインの間に延在している列交差スイッチを有する、請求項17のデバイス。
【請求項２０】
共通テストラインをさらに有する請求項17のデバイスであって、前記スイッチのそれぞれが、前記列ラインのうちの対応する1本と前記共通テストラインの間に延在している列テストスイッチを有する、デバイス。
【発明の詳細な説明】
【技術分野】
【０００１】
本発明は、画像ディスプレイデバイスの分野に関し、より具体的には、液晶ディスプレイデバイスと、そのようなデバイスの駆動回路とに関する。
【背景技術】
【０００２】
液晶ディスプレイ（LCD）デバイスなどの画像ディスプレイデバイスは、広く公知である。以下の説明においては、このようなデバイスの従来の特徴については精通していることは前提とされているので、本発明に関係する特徴のみが説明される。
【０００３】
図1は、典型的な液晶ディスプレイ（LCD）デバイス100の関連する部分を示す。
【０００４】
液晶ディスプレイデバイス100は、関連する部分に、複数のピクセル110と、複数のピクセル110に接続されている複数の列（データ）ライン120と、列ライン120を介してデータをピクセル110に供給するための複数の列（データ）ドライバ130と、複数の列ドライバスイッチ140と、ピクセル110の行に接続されている複数の行（走査）ライン150と、列ドライバ130からのデータが与えられるピクセル110の行を選択するための、行ライン150に接続されている複数の行ドライバ160とを有する。
【０００５】
代表的には、各ピクセル110は、ピクセルスイッチングデバイス112とストレージ（ピクセルコンデンサ）114とを含む。ピクセルスイッチングデバイス112は、薄膜トランジスタ（TFT）とすることが出来、接続されている列ライン120を介してストレージデバイス114に与えられるデータ信号のスイッチングを行うために、接続されている行ライン150上の走査信号に応答する。
【０００６】
液晶ディスプレイデバイス100は、LCOS（liquid crystal on silicon）タイプの液晶ディスプレイデバイスとすることが出来る。その場合には、列（データ）ドライバ130、列ドライバスイッチ140、および／または行（走査）ドライバ160は、液晶ピクセル110と同じシリコン基板上に集積化させることが出来る。
【０００７】
この先行技術の液晶ディスプレイデバイス100のいくつかの問題点について、以下に説明する。
【０００８】
時折、1本以上の列ライン120の製造時に断線／破損が起こることがある。例えば、図1には、列2の列ライン120における点AとA'の間に断線またはライン不良170が示されている。このライン不良170が原因で、列2の行番号3からNまでのピクセル110のいずれにもデータ信号を供給することができない。従って、列2の行番号3からNまでのピクセル110すべてが機能せず、ディスプレイ100のこれらのピクセル110は、デバイスがノーマリホワイトモードとノーマリブラックモードのどちらで動作するかに応じて、永久的に白または黒のままである。
【０００９】
また、特定の列の列ドライバ130が不良であり、列ライン120にデータ信号を供給できないことがある。例えば、図1には、列4の故障した列ドライバ130が示されている。その場合には、列4のピクセル110のいずれにもデータ信号を供給することができない。従って、列4のピクセル110すべてが機能せず、ディスプレイ100の列4全体は、デバイスがノーマリホワイトモードとノーマリブラックモードのどちらで動作するかに応じて、永久的に白または黒のままである。
【００１０】
従って、1本以上の列ラインの不良、または断線、および／または故障した列ドライバがあっても動作することのできる画像ディスプレイシステムを提供することが望まれる。その他およびさらなる目的と利点は、以下に説明する。
【００１１】
【特許文献１】
米国特許出願番号09／930190
【発明の開示】
【課題を解決するための手段】
【００１２】
従って、1つの観点においては、画像ディスプレイデバイスは、不良な列ライン（例：ラインの断線）または不良な列ドライバのいずれかに起因する不良な列のピクセルに画像データを供給するために、少なくとも2本のデータラインを選択的に接続するための手段を含む。この手段は、望ましくは、2本のデータラインを接続するための複数のスイッチを含む。
【００１３】
別の観点においては、望ましくは、2本以上の列ラインを接続するためにスイッチを開くべきか閉じるべきかを示すデータ値を中に格納するためのレジスタも、設けられる。レジスタは、シフトレジスタを有することが出来る。
【００１４】
さらに別の観点においては、ディスプレイ較正手順において使用される列テストスイッチを選択的に閉じることによって、不良な列を修復することができる。
【発明を実施するための最良の形態】
【００１５】
図2は、本発明の1つ以上の観点による画像ディスプレイデバイスの第一実施例を示す。第一実施例は、液晶ディスプレイ（LCD）デバイス200に関連して説明されている。図を明瞭かつ簡潔にするため、液晶ディスプレイデバイス200のうち本発明に関連する部分のみが示されている。
【００１６】
液晶ディスプレイデバイス200は、関連する部分に、複数のピクセル210と、複数のピクセル210に接続されている複数（M）の列（データ）ライン220と、列ライン220を介してデータをピクセル210に供給するための複数の列（データ）ドライバ230と、複数の列ドライバスイッチ240と、複数（M）の列ドライバスイッチレジスタ245と、N行のピクセル210に接続されている複数（N）の行（走査）ライン250と、列ドライバ230からのデータが与えられるピクセル210の行を選択するための、行ライン250に接続されている複数の行ドライバ260と、それぞれが2本の隣接する列ライン220の間に延在している複数（M-1）の列交差(cross-column)スイッチ280と、それぞれが列交差スイッチ280のうちの対応する1つのスイッチの制御端子に接続されている出力を有する、複数（M-1）の列交差スイッチレジスタ290とを有する。列ドライバスイッチレジスタ245および／または列交差スイッチレジスタ290は、シフトレジスタとして有利に構成することができる。
【００１７】
代表的には、各ピクセル210は、第一および第二端子と制御端子とを有するピクセルスイッチングデバイス212と、ピクセルスイッチングデバイス212の第一端子に接続されているストレージデバイス（ピクセルコンデンサ）214とを含む。しかしながら、ダイオードなどの2端子スイッチを使用してもよい。ピクセルスイッチングデバイス212の第二端子は、列ライン220の1本に接続されている。ピクセルスイッチングデバイス212は、薄膜トランジスタ（TFT）とすることが出来、列ライン220をストレージデバイス214に選択的に接続し、これによって列ライン220を介して与えられるデータ信号をストレージデバイス214に格納するために、接続されている行ライン250上の走査信号に応答する。
【００１８】
液晶ディスプレイデバイス200は、LCOSタイプの液晶ディスプレイデバイスとすることが出来る。その場合には、列（データ）ドライバ230および／または行（走査）ドライバ260を、液晶ピクセル210と同じシリコン基板上に集積化させることが出来る。また、列ドライバスイッチ240、列ドライバスイッチレジスタ245、列交差スイッチ280、および／または列交差スイッチレジスタ290を、同じ基板上に集積化させることが出来る。
【００１９】
不良な列の場合における、第一の望ましい実施例である液晶ディスプレイデバイス200のさまざまな関連する要素の動作を、以下に説明する。
【００２０】
図2には、列2の列ライン220における点AとA'の間に断線またはライン不良270が示されている。このライン不良270が原因で、列2の列ドライバ230から、行番号3からNまでのピクセル210のいずれにもデータ信号を供給することができない。従って、液晶ディスプレイデバイス200のテスト時に、液晶ディスプレイデバイス200のこれらのピクセル210は、デバイスがノーマリホワイトモードとノーマリブラックモードのどちらで動作するかに応じて、永久的に白または黒であると判断される。
【００２１】
その場合には、列交差スイッチレジスタ290によって出力される制御信号に起因して列2と3の間の列交差スイッチ280が閉じるように、データ値（例：「1」または「0」）が、列2と3の間の列交差スイッチ280の制御端子に接続されている列交差スイッチレジスタ290に格納される。言い換えれば、各列交差スイッチレジスタ290に格納されているデータ値は、対応する列交差スイッチ280を開くべきか閉じるべきかを示す。列2と3の間の列交差スイッチ280が閉じている状態では、列2の行3からNまでのピクセル210は、列3の列ライン220に接続される。従って、列2の行3からNまでのピクセル210は、対応する行（走査）ライン250の走査（ゲート）信号に応答して、列3のデータ信号によって駆動されて画像データを格納および表示する。
【００２２】
また、特定の列の列ドライバ230が不良であり、列ライン220にデータ信号を供給できないことがある。例えば、図2には、列4の故障した列ドライバ230が示されている。この不良な列ドライバ230が原因で、列4の列ドライバ230から列4のピクセル210のいずれにも、必要なデータ信号を供給することができない。従って、液晶ディスプレイデバイス200のテスト時に、液晶ディスプレイデバイス200の列4のピクセル210は、デバイスがノーマリホワイトモードとノーマリブラックモードのどちらで動作するかに応じて、永久的に白または黒であると判断される。
【００２３】
その場合には、列交差スイッチレジスタ290によって出力される制御信号に起因して列3と4の間の列交差スイッチ280が閉じるように、データ値（例：「1」または「0」）が、列3と4の間の列交差スイッチ280の制御端子に接続されている列交差スイッチレジスタ290に格納される。また、列4の列ドライバスイッチ240の制御端子に接続されている列4の列ドライバスイッチレジスタ245によって出力される制御信号に起因して列4の列ドライバスイッチ240が開くように、データ値が、列4の列ドライバスイッチレジスタ245に格納される。言い換えれば、各列ドライバスイッチレジスタ245に格納されているデータ値は、対応する列ドライバスイッチ240を開くべきか閉じるべきかを示す。列3と4の間の列交差スイッチ280が閉じ、かつ列4の列ドライバスイッチ240が開いている状態では、列4のピクセル210は、列3の列ライン220に接続される。従って、列4のピクセル210は、対応する行（走査）ライン250の走査（ゲート）信号に応答して、列3のデータ信号によって駆動されて画像データを格納および表示する。
【００２４】
理解すべき点として、ライン不良270を有する上記の例においては、列2の行3からNまでのピクセル210が列3に接続されたが、列2の行3からNまでのピクセル210を代わりに列1に接続することが可能である。同様に、列4の列ドライバが不良である上記の例においては、列4のピクセル210を列3の代わりに列5に接続してもよい。実際には、複数の不良な列ライン220および／または列ドライバ230に対処するために、複数の列をさまざまな構成に接続することができる。
【００２５】
列ドライバスイッチレジスタ245および／または列交差スイッチレジスタ290がシフトレジスタとして構成されているときには、シフトイネーブルまたはクロック信号を使用してデータ値を適切な位置にシフトすることによって、液晶ディスプレイデバイス200の列ドライバスイッチレジスタ245と列交差スイッチレジスタ290にデータ値を有利に供給できる。また、データは、液晶ディスプレイデバイス200のテストの実行後にレジスタ245と290に永久的に格納するか、または定期的（液晶ディスプレイデバイス200の電源オン時など）にレジスタに再ロードすることができる。
【００２６】
レジスタ290の内容を動的に変更することも可能である。その場合には、例えば、ライン不良270の場合、列2の行3からNまでのピクセル210を列3と列1に交互に、すなわち交互のフレームに接続することができる。人間の目は、列2の行3からNまでのピクセル210によって表示される映像データを平均化する傾向にあるため、これにより改良されたディスプレイが可能になる。同様に、列4の列ドライバが不良である場合には、列4のピクセル210を列3と列5とに交互に（すなわち交互のフレームに）接続することができる。
【００２７】
多数の液晶ディスプレイデバイスは、列（データ）ドライバがピクセル領域の2つの側面（例：上と下）に配置されている列（データ）ドライバレイアウトを採用している。代表的には、このようなレイアウトにおいては、列ラインは、ピクセル領域の対向する側面の列ドライバに交互に接続されている。すなわち、奇数番号の列ラインすべてが、ピクセル領域の一方の側（例：上）の列ドライバに接続され、偶数番号の列ラインすべてが、ピクセル領域の反対側（例：下）の列ドライバに接続されている。このようなインターリーブ式の列ドライバレイアウトを採用することによって、各列（データ）ドライバに伝達して処理させる必要のあるデータ信号の頻度を、1／2に低減することができる。
【００２８】
図3は、本発明の1つ以上の観点による画像ディスプレイデバイスの第二の望ましい実施例を示す。第二実施例は、列（データ）ドライバがピクセル領域の2つの側面（上と下）に配置されている、すなわちいわゆるインターリーブ式の列（データ）ドライバレイアウトを有する、液晶ディスプレイ（LCD）デバイス300に関連して説明されている。図を明瞭かつ簡潔にするため、液晶ディスプレイデバイス300のうち本発明に関連する部分が示されている。
【００２９】
液晶ディスプレイデバイス300は、関連する部分に、複数のピクセル310と、複数のピクセル310に接続されている複数（M）の列（データ）ライン320と、列ライン320を介してデータをピクセル310に供給するための、ピクセル310の対向する側面に配置されている複数の列（データ）ドライバ330と、複数の列ドライバスイッチ340と、複数（M）の列ドライバスイッチレジスタ（図示されていない）と、N行のピクセル310に接続されている複数（N）の行（走査）ライン350と、列ドライバ330からのデータが与えられるピクセル310の行を選択するための、行ライン350に接続されている複数の行ドライバ360と、それぞれが2本の隣接する列ライン320の間に延在している複数の列交差スイッチ380と、それぞれが列交差スイッチ380のうちの対応する1つのスイッチの制御端子に接続されている出力を有する、複数の列交差スイッチレジスタ390とを有する。列ドライバスイッチレジスタおよび／または列交差スイッチレジスタ390は、シフトレジスタとして構成することができる。
【００３０】
代表的には、各ピクセル310は、第一および第二端子と制御端子とを有するピクセルスイッチングデバイス312と、ピクセルスイッチングデバイス312の第一端子に接続されているストレージデバイス（ピクセルコンデンサ）314とを含む。ピクセルスイッチングデバイス312の第二端子は、列ライン320の1本に接続されている。ピクセルスイッチングデバイス312は、薄膜トランジスタ（TFT）とすることが出来、列ライン320をストレージデバイス314に選択的に接続し、これによって列ライン320を介して与えられるデータ信号をストレージデバイス314に格納するために、接続されている行ライン350上の走査信号に応答する。
【００３１】
液晶ディスプレイデバイス300は、LCOSタイプの液晶ディスプレイデバイスとすることが出来る。その場合には、列（データ）ドライバ330および／または行（走査）ドライバ360を、液晶ピクセル310と同じシリコン基板上に集積化させることが出来る。また、列ドライバスイッチ340、列ドライバスイッチレジスタ、列交差スイッチ380、および／または列交差スイッチレジスタ390を、同じ基板上に集積化させることが出来る。
【００３２】
不良な列の場合における、第二の望ましい実施例である液晶ディスプレイデバイス300のさまざまな関連する要素の動作を、以下に説明する。
【００３３】
液晶ディスプレイデバイス300の第二実施例は、この液晶ディスプレイデバイス300の第二実施例が、ピクセル領域の2つの対向する側面に配置されている列ドライバ330と、列交差スイッチ380と、列交差スイッチレジスタ390とを有することを除いて、液晶ディスプレイデバイス200の第一実施例と同様に動作する。
【００３４】
従って、例えば、列2の列ライン320における点AとA'の間に示されているライン不良370が起きたとき、列2の行3からNまでのピクセルは、ピクセル領域の第一（下）の側面に位置する列3の列ドライバ330に依然として接続されている。しかしながら、行1と2のピクセルは、列2の列ドライバ330から切断される。その場合には、列交差スイッチレジスタ390によって出力される制御信号に起因して列2と3の間の列交差スイッチ380が閉じるように、データ値（例：「1」または「0」）が、列2の列ドライバ330から、ピクセル領域の反対（上）の側面に位置する列2と3の間の列交差スイッチ380の制御端子に接続されている列交差スイッチレジスタ390に格納される。言い換えれば、各列交差スイッチレジスタ390に格納されているデータ値は、対応する列交差スイッチ380を開くべきか閉じるべきかを示す。
【００３５】
列2と3の間の列交差スイッチ380が閉じている状態では、列2の行1と2のピクセル310は、列3の列ライン320に接続される。従って、列2の行1と2のピクセル310は、対応する行（走査）ライン350の走査（ゲート）信号に応答して、列3のデータ信号によって駆動されて画像データを格納および表示する。理解すべき点として、列2の行1と2のピクセル310を、列3の代わりに列1に接続することができる。
【００３６】
また、例えば、列4の列ドライバ330が不良であり、列4の列ライン320にデータ信号を供給できないことがある。その場合には、列交差スイッチレジスタ390によって出力される制御信号に起因して列3と4の間の列交差スイッチ380が閉じるように、データ値（例：「1」または「0」）が、列3と4の間の列交差スイッチ380（上または下）の一方に接続されている列交差スイッチレジスタ390に格納される。また、列4の列ドライバスイッチレジスタ390によって出力される制御信号に起因して列4の列ドライバスイッチ340が開くように、データ値（例：「1」または「0」）が、列4の列ドライバスイッチレジスタに格納される。言い換えれば、各列ドライバスイッチレジスタ390に格納されているデータ値は、対応する列ドライバスイッチ340を開くべきか閉じるべきかを示す。列3と4の間の列交差スイッチ380の一方が閉じ、かつ列4の列ドライバスイッチ340が開いている状態では、列4のピクセル310は、列3の列ライン320に接続される。従って、列4のピクセル310は、対応する行（走査）ライン350の走査（ゲート）信号に応答して、列3のデータ信号によって駆動されて画像データを格納および表示する。
【００３７】
列4の列ドライバ330が不良である上記の例においては、列4のピクセル310を列3の代わりに列5に接続することができる点は、理解されるべきである。
【００３８】
図4は、本発明の1つ以上の観点による画像ディスプレイデバイスの第三実施例を示す。第三実施例は、液晶ディスプレイ（LCD）デバイス400に関連して説明されている。図を明瞭かつ簡潔にするため、液晶ディスプレイデバイス400のうち本発明に関連する部分のみが示されている。
【００３９】
液晶ディスプレイデバイス400は、関連する部分に、複数のピクセル410と、複数のピクセル410に接続されている複数（M）の列（データ）ライン420と、列ライン420を介してデータをピクセル410に供給するための複数の列（データ）ドライバ430と、複数の列ドライバスイッチ440と、複数（M）の列ドライバスイッチレジスタ445と、N行のピクセル410に接続されている複数（N）の行（走査）ライン450と、列ドライバ430からのデータが与えられるピクセル410の行を選択するための、行ライン450に接続されている複数の行ドライバ460と、それぞれが列ライン420のうちの対応する1本に接続されている複数（M）の列テストスイッチ480と、列テストスイッチ480のそれぞれに接続されている共通テストライン486と、共通テストライン486に接続されているバッファ488と、それぞれが列テストスイッチ480のうちの対応する1つのスイッチの制御端子に接続されている出力を有する、複数（M）の列テストスイッチレジスタ490とを有する。列ドライバスイッチレジスタ445および／または列テストスイッチレジスタ490は、シフトレジスタとして構成することができる。
【００４０】
代表的には、各ピクセル410は、第一および第二端子と制御端子とを有するピクセルスイッチングデバイス412と、ピクセルスイッチングデバイス412の第一端子に接続されているストレージデバイス（ピクセルコンデンサ）414とを含む。ピクセルスイッチングデバイス412の第二端子は、列ライン420の1本に接続されている。ピクセルスイッチングデバイス412は、薄膜トランジスタ（TFT）とすることが出来、列ライン420をストレージデバイス414に選択的に接続し、これによって列ライン420を介して与えられるデータ信号をストレージデバイス414に格納するために、接続されている行ライン450上の走査信号に応答する。
【００４１】
液晶ディスプレイデバイス400は、LCOSタイプの液晶ディスプレイデバイスとすることが出来る。その場合には、列（データ）ドライバ430および／または行（走査）ドライバ460を、液晶ピクセル410と同じシリコン基板上に集積化させることが出来る。また、列ドライバスイッチ440、列ドライバスイッチレジスタ445、列テストスイッチ480、バッファ488、および／または列テストスイッチレジスタ490を、同じ基板上に集積化させることが出来る。
【００４２】
不良な列の場合における、第三の望ましい実施例である液晶ディスプレイデバイス400のさまざまな関連する要素の動作を、以下に説明する。
【００４３】
液晶ディスプレイデバイス400の第三実施例は、この第三実施例が、隣接する列の対の間に延在している列交差スイッチの代わりに、それぞれが対応する列ライン420を共通テストライン486に接続する共通テストスイッチ480を含むことを除いて、液晶ディスプレイデバイス200の第一実施例と同様に動作する。従って、列ライン420または列ドライバ430の不良が検出されたときには、制御信号を出力して、これに起因して対応する列テストスイッチ480が閉じ、これによって不良な列のピクセルが共通テストライン486に接続されるように、対応する列テストスイッチレジスタ490にデータ値が格納される。また、制御信号を出力して、これに起因して対応する列テストスイッチ480が閉じ、これによって正しく機能している列ライン420も共通テストライン486に接続されるように、別の正しく機能している列（望ましくは隣接する列）の列テストスイッチレジスタ490にもデータ値が格納される。言い換えれば、テストスイッチレジスタ490に格納されているデータ値は、対応する列交差テストスイッチ480を開くべきか閉じるべきかを示す。この結果として、不良な列のピクセルは、正しく機能している（望ましくは隣接する）列ライン420のデータ信号によって、共通テストライン486を介して駆動されて画像データを格納および表示する。
【００４４】
この第三実施例は、液晶ディスプレイデバイスが、液晶ディスプレイデバイスのピクセルまたは列の間の輝度の変動を補正するための、複数の列テストスイッチ480などの自己較正回路(self-calibrating circuitry)を含む場合に特に有用である。このような液晶ディスプレイデバイスは、同時出願された米国特許出願番号09／930190（社内整理番号US010349）、発明の名称「自己較正液晶ディスプレイ（Self-Calibrating Liquid Crystal Display）」（発明者：Peter J. Janssen、Remus L. Albu、出願日：2001年8月16日）に記載されている。この特許出願文書は、全て、本出願に完全に記載されているかのように、あらゆる目的に対し、本出願に参照文献として組み込まれている。
【００４５】
図5は、本発明の1つ以上の観点による画像ディスプレイデバイスの第四実施例を示す。第四実施例は、液晶ディスプレイ（LCD）デバイス500に関連して説明されている。図を明瞭かつ簡潔にするため、液晶ディスプレイデバイス500のうち本発明に関連する部分が示されている。
【００４６】
液晶ディスプレイデバイス500は、関連する部分に、複数のピクセル510と、複数のピクセル510に接続されている複数（M）の列（データ）ライン520と、列ライン520を介してデータをピクセル510に供給するための複数の列（データ）ドライバ530と、複数の列ドライバスイッチ540と、複数（M）の列ドライバスイッチレジスタ545と、N行のピクセル510に接続されている複数（N）の行（走査）ライン550と、列ドライバ530からのデータが与えられるピクセル510の行を選択するための、行ライン550に接続されている複数の行ドライバ560と、それぞれが列ライン520のうちの対応する1本に接続されている複数（M）の列テストスイッチ580と、複数
2004538513.tif 000003
の列対選択スイッチ582と、それぞれが列対選択スイッチ582のうちの対応する1つのスイッチの制御端子に接続されている出力を有する、複数の列対選択スイッチレジスタ584と、列対選択スイッチ582に接続されている共通テストライン586と、共通テストライン586に接続されているバッファ588と、それぞれが列テストスイッチ580のうちの対応する1つのスイッチの制御端子に接続されている出力を有する、複数（M）の列テストスイッチレジスタ590とを有する。列ドライバスイッチレジスタ545および／または列テストスイッチレジスタ590と、列対選択スイッチレジスタ584は、シフトレジスタとして構成することができる。
【００４７】
代表的には、各ピクセル510は、第一および第二端子と制御端子とを有するピクセルスイッチングデバイス512と、ピクセルスイッチングデバイス512の第一端子に接続されているストレージデバイス（ピクセルコンデンサ）514とを含む。ピクセルスイッチングデバイス512の第二端子は、列ライン520の1本に接続されている。ピクセルスイッチングデバイス512は、薄膜トランジスタ（TFT）とすることが出来、列ライン520をストレージデバイス514に選択的に接続し、これによって列ライン520を介して与えられるデータ信号をストレージデバイス514に格納するために、接続されている行ライン550上の走査信号に応答する。
【００４８】
液晶ディスプレイデバイス500は、LCOSタイプの液晶ディスプレイデバイスとすることが出来る。その場合には、列（データ）ドライバ530および／または行（走査）ドライバ560を、液晶ピクセル510と同じシリコン基板上に集積化させることが出来る。また、列ドライバスイッチ540、列ドライバスイッチレジスタ545、列テストスイッチ580、および／または列テストスイッチレジスタ590を、同じ基板上に集積化させることが出来る。
【００４９】
不良な列の場合における、第四の望ましい実施例である液晶ディスプレイデバイス500のさまざまな関連する要素の動作について、以下に説明する。
【００５０】
液晶ディスプレイデバイス500の第四実施例は、この実施例が列対選択スイッチ582と列対選択スイッチレジスタ584とを含むことを除いて、液晶ディスプレイデバイス400の第三実施例と同様に動作する。各グループ内の単一の列のみを修理できる第三実施例と異なり、第四実施例においては、グループ内の列ライン520と列ドライバ530の複数の不良を修理でき、なぜなら、列ライン520の各対が自身の列対選択スイッチ582を有し、このスイッチを開くことによって自身を液晶ディスプレイデバイス500の他の列すべてから孤立させることができるためである。第一、第二、および第三実施例のように、対応する列交差スイッチ580を開くべきか閉じるべきかを示すためのデータ値が、各列交差スイッチレジスタ590に格納される。
【００５１】
本文書には望ましい実施例が開示されているが、多数の変更が可能であり、これらは本発明の概念と範囲内に含まれる。当業者には、本文書の明細書、図面、および請求項を検討した後に、このような変更が明らかになるであろう。従って、本発明は、添付されている請求項の精神と範囲以外では制限されない。
【図面の簡単な説明】
【００５２】
【図１】先行技術の液晶ディスプレイ（LCD）デバイスを示す。
【図２】列ラインまたは列ドライバが不良であっても動作することのできる画像ディスプレイデバイスの第一実施例を示す。
【図３】列ラインまたは列ドライバが不良であっても動作することのできる画像ディスプレイデバイスの第二実施例を示す。
【図４】列ラインまたは列ドライバが不良であっても動作することのできる画像ディスプレイデバイスの第三実施例を示す。
【図５】列ラインまたは列ドライバが不良であっても動作することのできる画像ディスプレイデバイスの第四実施例を示す。
【符号の説明】
【００５３】
100、200、300、400、500  液晶ディスプレイ（LCD）デバイス
110、210、310、410、510  ピクセル
120、220、320、420、520  列（データ）ライン
130、230、330、430、530  列（データ）ドライバ
140、240、340、440、540  列ドライバスイッチ
150、250、350、450、550  行（走査）ライン
160、260、360、460、560  行（走査）ドライバ
112、212、312、412、512  ピクセルスイッチングデバイス
114、214、314、414、514  ストレージ（ピクセルコンデンサ）
170、270、370  ライン不良
245、445、545  列ドライバスイッチレジスタ
280、380  列交差スイッチ
290、390  列交差スイッチレジスタ
480、580  列テストスイッチ
486、586  共通テストライン
488、588  バッファ
490、590  列テストスイッチレジスタ
582  列対選択スイッチ
584  列対選択スイッチレジスタ
【図１】
2004538513.tif 000004
【図２】
2004538513.tif 000005
【図３】
2004538513.tif 000006
【図４】
2004538513.tif 000007
【図５】
2004538513.tif 000008
【国際公開パンフレット】
2004538513.tif 000009
2004538513.tif 000010
2004538513.tif 000011
2004538513.tif 000012
2004538513.tif 000013
2004538513.tif 000014
2004538513.tif 000015
2004538513.tif 000016
2004538513.tif 000017
2004538513.tif 000018
2004538513.tif 000019
2004538513.tif 000020
2004538513.tif 000021
2004538513.tif 000022
2004538513.tif 000023
2004538513.tif 000024
2004538513.tif 000025
2004538513.tif 000026
2004538513.tif 000027
2004538513.tif 000028
2004538513.tif 000029
【国際調査報告】
2004538513.tif 000030
2004538513.tif 000031